(57)【要約】袋を充てんして閉じた後に密封することができるよう、連続搬送中および開放条件維持中は袋が適当な位置で開くように、連続ウェブの状態で袋を搬送するための方法は周知である。従来の技術による方法では、保留のために複雑な方法が使用される。本発明によれば、袋ウェブは、袋が開いて、チェーンに沿ってスタッドの周りを囲む溝が、充てんステーションなどを通過中は袋が離れ落ちることを防止するように、走行するキャリア・チェーンの上に取り付けられた水平スタッドに吊るされている。
2005523204.tif 000002
【特許請求の範囲】
【請求項１】
連続ウェブの状態で充てんステーションを通過して運ばれ、袋の開口部が物品を受け入れるために開かれた状態に保たれ、袋はその後閉じられ、ウェブから分離される薄膜袋の中に物品またはばら物を包装する方法において、袋ウェブは、最初その開口縁部に沿って、滑らかなガイド・レールとチェーンとを含むガイド手段によって制御された連結状態で運ばれ、そのチェーンは、袋ウェブの開口縁部にある孔の間の距離と同じ距離に置かれ、かつ充てんステーションを通過してコンベヤ・トラックに沿って袋の向き合っている開口縁部を保持して前方へ案内するために、開口縁部における孔に係合するように配置されたスタッドを備え、通過中に、ガイド手段が、充てんステーションにおいて袋を連続的に開くために袋の開口部を強制的に離し、次いで袋を充てんした後に、再び袋を閉じるために袋の開口縁部を連結し、対向する袋開口部分が前記ガイド手段への連続的な取り付けのために互いに広げられる方法であって、
ガイド・レールの上を運ばれると、袋ウェブは水平スタッドを支える左チェーンと右チェーンとの間に導入され、そのスタッドが各側から袋ウェブに形成された孔の中に導かれ、長手方向の溝が水平スタッドの端部を囲んで、充てんステーションを通るコンベヤ・トラックに沿った袋ウェブのスタッドによる保持を確実にすることを特徴とする方法。
【請求項２】
ガイド・レールが、各側に第１長手方向の溝を備えて設計されたより広いマンドレル形状のレール部分に変化し、このレール部分は第１長手方向の溝と連続する第２長手方向の溝を有する楔形状の本体に変化し、この楔形状の本体は２つの平行な第３長手方向の溝に変化し、これによって、袋ウェブの孔の間の距離に対応する距離を有する水平スタッドを有する２本のエンドレス・チェーンが、レールとガイド・ロールによって長手方向の溝に対して維持され、こうして、スタッドの端部は常に長手方向の溝の内にあり、２本のチェーンがスタッドともに互いに向き合って平行に移動し、また第３長手方向の溝の間の距離が袋の所望の開口部を得るために必要な距離に対応することを特徴とする請求項１に記載の方法を実施するための装置。
【発明の詳細な説明】
【技術分野】
【０００１】
吊るした薄膜袋の中に物品またはばら物を包装するための方法。
【０００２】
本発明は、薄膜袋の中に物品を包装するための方法と装置に関する。薄膜袋は連続ウェブの状態で個別に物品を充てんする充てんステーションを通して運ばれ、次いで袋が閉じられて、個別包装物とするために連続ウェブから分離される、
【背景技術】
【０００３】
この技術の基本的一例が特許文献ＥＰ−６９６９９７に記載されている。これは、袋物ウェブの上縁両区域に曲がったリム部分を備え、そのリム部分に搬送バーへ入れるための溝を形成している。バーは搬送方向において袋物に開口部を形成させるために相互に開き、例えば上にある漏斗を通して充てんされ、その後、充てんされた袋物を再び一時的に閉じるために搬送バーは相互に狭められる。次にこれらを、後述の溝部分を溶接することによって完全に閉じることができ、その後、これらを切断して互いに物品に分離する。別法として、溝部分の代わりに、袋物を完全に対応して搬送するためにスロット付きの搬送管の中に受け入れることのできる縁肉厚部を設けることもできる。
【０００４】
それ以来、例えば特許文献ＥＰ０５５５３２１Ｂに記載のように、袋物ウェブの面している上縁部を掴んで支えるための別形式の提案がされている。この場合、折りたたまれた袋物ウェブの上縁部領域の設計に対する特別の要求なしに、上記の目的のために専用の掴みチェーンが使用される。これは、最終製品として、局部的に厚い部分のない簡単な巻き取られた平坦な薄膜ウェブを使用することができる点で実質的な意味があるが、その代わりに、チェーンとの安全な係合のために袋物の対向する縁部を案内することに関して、およびこれらのチェーンの望ましくは安価な実施形態に関して、大きな問題が存在する。
【０００５】
さらにまた特許文献ＥＰ０３９６８３８およびＥＰ０８２５１１６には、薄膜の平らなパイプ状ウェブを設けることができ、この平らなパイプ状ウェブは、その上縁部に沿って連続的に切り開くことができ、次いでこうして切り開いた上縁部を開いて掴み、上縁部は溝として特に設計されることも厚い部分を伴って設計されることもない。このことは、袋ウェブ製造に関する要件の明らかな簡略化を示すことになる。切り開かれた上縁部分は、縦方向凹部と対応する押圧コードとを伴って作られたそれぞれの移動ベルトの間で広げられて圧迫され、これによって適切に堅固なキャリア係合を確立することができる。
【０００６】
しかしながら、この係合は、袋の上縁部とベルト運搬用の付属手段との間で起り得る軸方向滑りよりも堅固ではなく、これによって、運ばれた物品がコンベヤ・ベルトと完全に同期して運ばれたか否かという不確実性が生じることもある。その上に、コンベヤ・ベルトの間で圧迫されるウェブ側部の区域の高さ位置に関して偏差が生じることもあり、これは、充てんされた袋がこの正確な目的のために意図された位置、例えば袋上の印刷に関する位置で完全に閉じられたどうかについて重要となるであろう。
【０００７】
特許文献ＤＫＰＡ１９９８００５４８には、簡単にした平らな袋ウェブを使用する構造が記載されており、すなわちウェブが単一キャリアの上に導入されると開口縁部は単に閉じられ、１つのステーションにおいて連続的に切り開かれ、このステーションにおいて直立したリム条片の部分が相対するチェーンの上に置かれるように広げられる。予めこれらの条片の部分は一列の孔を伴って作られており、これらの孔は、下方に折りたたむ間にキャリア・チェーンの上方に向いた保持スタッドの中に下向きに導かれ、これによって、開口縁部に特別の輪郭付けをすることなく安全なキャリアおよび推進係合が達成される。
【発明の開示】
【発明が解決しようとする課題】
【０００８】
最後に説明した構造を使用している間に、この構造が上記の利点を備えていることは事実であり、これらは簡単な方法で得られることがわかった。本発明の目的は、薄膜袋の中に物品またはばら物を包装するための方法であって、従来の技術による構造に対してより簡略化され、かつその方法を実施する設備をより速い速度で通ることができる充てんステーションを通って、前記物品が連続ウェブの状態で運ばれる方法を提供することである。
【課題を解決するための手段】
【０００９】
これは、滑らかなガイド・レールの上を搬送中に袋ウェブが左チェーンと右チェーンとの間に導入され、これらのチェーンは、袋ウェブの孔の間の距離と同じ距離で水平スタッドを支持しており、これらの水平スタッドは袋ウェブに形成された孔の中に各側から導入され、水平スタッドの端部を囲む長手方向の溝によってスタッドが袋ウェブを保持すること確実に行うことができる方法によって達成される。
【００１０】
本方法を実施するための装置は、ガイド・レールがより広いマンドレル形状のレール部分に変化し、そのマンドレルの各側には第１長手方向の溝を備えおり、このレール部分が第１長手方向の溝と連続する第２長手方向の溝を有する楔形状の本体に変化し、この楔形状の本体は２つの平行な第３長手方向の溝に変化し、これによって、袋ウェブの孔の間の距離に対応する距離を有する水平スタッドを備えた２本のエンドレス・チェーンが、スタッドがどこでも長手方向の溝の内部にあるように、レールとガイド・ロールによって長手方向の溝に対して維持され、２本のチェーンが互いに向き合っているスタッドとともに並行に移動し、また第３長手方向の溝間の距離が袋の所望の開口部を得るために必要な距離に対応している。
【発明を実施するための最良の形態】
【００１１】
図面を参照して、以下に本発明をさらに詳細に説明する。
図１は本方法を実施する装置における本質的構成部分を示す図である。
図２ａ〜ｄは袋ウェブ導入部の各断面を示す図である。
図３は取付け部とスタッドとを有するチェーンのリンクを示す図である。
【００１２】
合成材からなる袋ウェブ１が図示されていない貯蔵個所から滑らかなレール２（断面２ａ）の上を矢印の方向に運ばれる。レール２は袋の搬送方向に向いた丸い部分３を備えている。袋ウェブは、この目的のために設計されたプラスチック薄膜の上部分で吊され、図示されていない通例の切れ目および脆弱個所を備えている。さらにまた上部分は、一定の相互距離を有する孔である多くの打ち抜きを備えている。レールの形状が厚いマンドレル４（断面２ｂ）に変わる。そのマンドレルの各側には溝５、６が設けられている。これらの溝はスタッド７に対応する幅と深さとを有し、スタッド７は、一定距離を有する取付け具８によって２本のエンドレス・チェーン９、１０に配置されている。スタッドは、各側からのスタッドが袋ウェブの上部分の左側および右側における層１１、１２をそれぞれ貫通するように、袋ウェブ１と同期して移動する。プラスチック薄膜はマンドレル４とスタッドとによって広げられ、マンドレルの上側における垂直ナイフ１３を通過し、その後、袋ウェブのここで分離させられた２つの部分１１、１２が、スタッドを備えたチェーンによって運ばれる。スタッド７の端部を囲むように設計された溝５、６によって、プラスチック薄膜はスタッドの端部を越えて滑り出ることはできない。
【００１３】
マンドレルは楔状のブロック１４（断面２ｃ）に変わり、このブロック１４は対応した長手方向の溝５’、６’を備え、袋ウェブ１１、１２がさらに運ばれる間、袋は次第に広げられる。最大にまで開けられると、ブロック１４はなお長手方向の溝５”、６”を備えた縦方向レール１５、１６（断面２ｄ）に変わる。これらのレールは袋を前方へ、充てん、密封、切り離しなどの通常のステーションの間の下側を搬送する。その間中ずっと、スタッド７を備えたチェーン９、１０は、移送、および様々なローラＲによるチェーンの案内を行い、レールは、プラスチック薄膜が滑って離れないようにするために、溝５、５’、５”、６、６’、６”の中にスタッドを留める働きをする。適当な個所に、駆動用大歯車Ｒが各チェーンのために置かれている。包装設備（図示せず）の端部において、スタッドは、チェーンがガイド・ロールの周りを走行することで離され、切り離された袋がこの位置で掴まれ、さらに運搬されるか、またはコンベヤ・ベルトの上に落とされる。図１は単なる概略図であり、したがって、分かりやすくするためいくつかの寸法は誇張されており、図２は少なくとも要素間の比率に関しては実際の構造に対応していることが注目される。
【００１４】
チェーン（１０）の１つが図３に示されており、ここでは、その他のリンクＬはすべて、チェーンの平面図では突出したスタッドを備えた取付け具８を備えている。
【００１５】
従来の技術と比較して改良されたこの効果は、特に、本発明によればスタッド７はより短く、搬送中にプラスチック薄膜１１、１２をスタッド上に確実に留めておくために重力を必要としないという事実に帰するものである。
【図面の簡単な説明】
【００１６】
【図１】本方法を実施する装置における本質的構成部分を示す図である。
【図２】袋ウェブ導入部の各断面を示す図である。
【図３】取付け部とスタッドとを有するチェーンのリンクを示す図である。
【図１】
2005523204.tif 000003
【図２】
2005523204.tif 000004
2005523204.tif 000005
2005523204.tif 000006
2005523204.tif 000007
【図３】
2005523204.tif 000008
【国際調査報告】
2005523204.tif 000009
2005523204.tif 000010
2005523204.tif 000011